(57)【特許請求の範囲】
【請求項１】
給湯水を加熱するヒートポンプサイクル（２０）が収容されたヒートポンプ筐体（２）と、
前記給湯水を貯湯する貯湯タンク（３１）が収容されたタンク筐体（３）とを備え、
前記ヒートポンプ筐体（２）および前記タンク筐体（３）を水平方向に隣接配置して一体化させたヒートポンプ式給湯機であって、
前記ヒートポンプ筐体（２）は、その底面側に前記ヒートポンプ筐体（２）を支持するヒートポンプベース（４）を有し、
前記タンク筐体（３）は、その底面側に前記タンク筐体（３）を支持するタンクベース（５）を有し、
前記ヒートポンプベース（４）および前記タンクベース（５）のうち、一方を第１ベース（５）とし、他方を第２ベース（４）として、前記第１ベース（５）および前記第２ベース（４）を上方側から見たときに、
前記第１ベース（５）の側面には、前記第２ベース（４）側へ向かって楔状に突き出した凸形状部（５ａ）が形成され、
さらに、前記第２ベース（４）の側面には、前記凸形状部（５ａ）に適合する形状に形成されるとともに、前記凸形状部（５ａ）が嵌合される凹形状部（４ａ）が形成されており、
前記ヒートポンプベース（４）および前記タンクベース（５）には、それぞれの底面から設置面（Ｇ）に向かって延びる複数の脚部（４ｂ、４ｃ、５ｂ、５ｃ）が設けられており、
前記第１ベース（５）および前記第２ベース（４）のうち、一方のベース（５）に設けられた前記脚部（５ｂ、５ｃ）の少なくとも１つは、他方のベース（４）の下側空間に突き出した突出形状脚部（５ｃ）になっており、
前記他方のベース（４）の底面が、前記突出形状脚部（５ｃ）の上面に乗り上げるように配置されていることを特徴とするヒートポンプ式給湯機。
【請求項２】
給湯水を加熱するヒートポンプサイクル（２０）が収容されたヒートポンプ筐体（２）と、
前記給湯水を貯湯する貯湯タンク（３１）が収容されたタンク筐体（３）とを備え、
前記ヒートポンプ筐体（２）および前記タンク筐体（３）を水平方向に隣接配置して一体化させたヒートポンプ式給湯機であって、
前記ヒートポンプ筐体（２）は、その底面側に前記ヒートポンプ筐体（２）を支持するヒートポンプベース（４）を有し、
前記タンク筐体（３）は、その底面側に前記タンク筐体（３）を支持するタンクベース（５）を有し、
前記ヒートポンプベース（４）および前記タンクベース（５）には、それぞれの底面から設置面（Ｇ）に向かって延びる複数の脚部（４ｂ、４ｃ、５ｂ、５ｃ）が設けられており、
前記タンクベース（５）および前記ヒートポンプベース（４）のうち、一方のベース（５）に設けられた前記脚部（５ｂ、５ｃ）の少なくとも１つは、他方のベース（４）の下側空間に突き出した突出形状脚部（５ｃ）になっており、
前記他方のベース（４）の底面が、前記突出形状脚部（５ｃ）の上面に乗り上げるように配置されていることを特徴とするヒートポンプ式給湯機。
【請求項３】
前記突出形状脚部（５ｃ）の上面のうち、前記他方のベース（４）側の端部には、面取り部（５ｄ）が設けられていることを特徴とする請求項１または２に記載のヒートポンプ式給湯機。
【請求項４】
前記他方のベース（４）に設けられた前記脚部（４ｂ、４ｃ）の少なくとも１つは、前記突出形状脚部（５ｃ）の側面と面接触するように配置された接触用脚部（４ｃ）になっており、
前記接触用脚部（４ｃ）の高さ寸法（ｈ４）は、前記突出形状脚部（５ｃ）の高さ寸法（ｈ５）に対して、短いことを特徴とする請求項１ないし３のいずれか１つに記載のヒートポンプ式給湯機。
【請求項５】
前記突出形状脚部（５ｃ）および前記接触用脚部（４ｃ）を締結する締結手段（６）を有することを特徴とする請求項４に記載のヒートポンプ式給湯機。
【請求項６】
前記一方のベースは、前記タンクベース（５）であり、
前記他方のベースは、前記ヒートポンプベース（４）であることを特徴とする請求項１ないし５のいずれか１つに記載のヒートポンプ式給湯機。
【発明の詳細な説明】
【技術分野】
【０００１】
本発明は、給湯水を加熱するヒートポンプサイクルが収容されたヒートポンプ筐体と、給湯水を貯湯する貯湯タンクが収容されたタンク筐体とを備えるヒートポンプ式給湯機に関する。
【背景技術】
【０００２】
従来、給湯水を加熱するヒートポンプサイクルが収容されたヒートポンプ筐体と、給湯水を貯湯する貯湯タンクが収容されたタンク筐体とを備えるヒートポンプ式給湯機が知られている。例えば、特許文献１には、ヒートポンプ筐体およびタンク筐体をそれぞれ異なる場所に設置することで、その設置作業性を向上させたヒートポンプ式給湯機が開示されている。
【０００３】
また、この特許文献１のヒートポンプ式給湯機に対して、ヒートポンプ筐体およびタンク筐体を水平方向に隣接配置して一体化させた状態で設置するヒートポンプ式給湯機についても、ヒートポンプ筐体内の水−冷媒熱交換器とタンク筐体内の貯湯タンクとを接続する接続配管を地中に埋設する埋設作業が不要となるというメリットや、設置場所が一箇所でよいというメリットを有しており、そのニーズは高い。
【特許文献１】特開２００６−３０８２８２号公報
【発明の開示】
【発明が解決しようとする課題】
【０００４】
ところが、ヒートポンプ筐体およびタンク筐体を水平方向に隣接配置して一体化させたヒートポンプ式給湯機では、ヒートポンプ筐体およびタンク筐体を一体化させる際に、それぞれの筐体同士に位置ずれが発生してしまうと、それぞれの筐体が接触する側の接触面間から筐体内に雨水が侵入してしまうおそれがある。
【０００５】
さらに、一般的に、ヒートポンプ筐体およびタンク筐体の外表面には、その意匠性を向上させるための塗装処理等が施されているので、それぞれの筐体の位置ずれが発生してしまうと、ヒートポンプ式給湯機全体としての意匠性も損なわれるという問題も生じる。
【０００６】
本発明は、上記点に鑑み、ヒートポンプ筐体およびタンク筐体を水平方向に隣接配置して一体化させたヒートポンプ式給湯機において、ヒートポンプ筐体およびタンク筐体を一体化させる際に、容易に位置合わせができるヒートポンプ式給湯機を提供することを目的とする。
【課題を解決するための手段】
【０００７】
上記目的を達成するため、請求項１に記載の発明では、給湯水を加熱するヒートポンプサイクル（２０）が収容されたヒートポンプ筐体（２）と、給湯水を貯湯する貯湯タンク（３１）が収容されたタンク筐体（３）とを備え、ヒートポンプ筐体（２）およびタンク筐体（３）を水平方向に隣接配置して一体化させたヒートポンプ式給湯機であって、
ヒートポンプ筐体（２）は、その底面側にヒートポンプ筐体（２）を支持するヒートポンプベース（４）を有し、タンク筐体（３）は、その底面側にタンク筐体（３）を支持するタンクベース（５）を有し、ヒートポンプベース（４）およびタンクベース（５）のうち、一方を第１ベース（５）とし、他方を第２ベース（４）として、第１ベース（５）および第２ベース（４）を上方側から見たときに、
第１ベース（５）の側面には、第２ベース（４）側へ向かって楔状に突き出した凸形状部（５ａ）が形成され、第２ベース（４）の側面には、凸形状部（５ａ）に適合する形状に形成されるとともに、凸形状部（５ａ）が嵌合される凹形状部（４ａ）が形成されていることを特徴とする。
【０００８】
これによれば、第１ベース（５）の側面には、他方側へ向かって楔状に突き出した凸形状部（５ａ）が形成され、第２ベース（４）の側面には、凸形状部（５ａ）が嵌合される凹形状部（４ａ）が形成されているので、ヒートポンプ筐体（２）およびタンク筐体（３）を一体化させる際に、水平方向の位置合わせを容易に行うことができる。
【０００９】
しかも、凸形状部（５ａ）が楔状に突き出す形状になっているので、凸形状部（５ａ）を凹形状部（４ａ）へ容易に嵌合することができる。なお、本請求項における「楔状に突き出す形状」とは、単にＶ字形に突き出す形状を意味するだけでなく、根本側から先端側に向かって徐々に幅寸法が小さくなる台形形状等も含む意味である。
【００１０】
さらに、請求項１に記載の発明では、ヒートポンプベース（４）およびタンクベース（５）には、それぞれの底面から設置面（Ｇ）に向かって延びる複数の脚部（４ｂ、４ｃ、５ｂ、５ｃ）が設けられており、第１ベース（５）および第２ベース（４）のうち、一方のベース（５）に設けられた脚部（５ｂ、５ｃ）の少なくとも１つは、他方のベース（４）の下側空間に突き出した突出形状脚部（５ｃ）になっており、他方のベース（４）の底面が、突出形状脚部（５ｃ）の上面に乗り上げるように配置されていることを特徴とする。
【００１１】
これによれば、他方のベース（４）の底面が、一方のベース（５）に設けられた突出形状脚部（５ｃ）の上面に乗り上げるように配置されているので、ヒートポンプ筐体（２）およびタンク筐体（３）を一体化させる際に、鉛直方向（上下方向）の位置合わせを容易に行うことができる。
【００１２】
また、請求項２に記載の発明では、給湯水を加熱するヒートポンプサイクル（２０）が収容されたヒートポンプ筐体（２）と、給湯水を貯湯する貯湯タンク（３１）が収容されたタンク筐体（３）とを備え、ヒートポンプ筐体（２）およびタンク筐体（３）を水平方向に隣接配置して一体化させたヒートポンプ式給湯機であって、
ヒートポンプ筐体（２）は、その底面側にヒートポンプ筐体（２）を支持するヒートポンプベース（４）を有し、タンク筐体（３）は、その底面側にタンク筐体（３）を支持するタンクベース（５）を有し、ヒートポンプベース（４）およびタンクベース（５）には、それぞれの底面から設置面（Ｇ）に向かって延びる複数の脚部（４ｂ、４ｃ、５ｂ、５ｃ）が設けられており、タンクベース（５）およびヒートポンプベース（４）のうち、一方のベース（５）に設けられた脚部（５ｂ、５ｃ）の少なくとも１つは、他方のベース（４）の下側空間に突き出した突出形状脚部（５ｃ）になっており、他方のベース（４）の底面が、突出形状脚部（５ｃ）の上面に乗り上げるように配置されていることを特徴とする。
【００１３】
これによれば、他方のベース（４）の底面が、一方のベース（５）に設けられた突出形状脚部（５ｃ）の上面に乗り上げるように配置されているので、請求項１に記載の発明と同様に、ヒートポンプ筐体（２）およびタンク筐体（３）を一体化させる際に、鉛直方向（上下方向）の位置合わせを容易に行うことができる。
【００１４】
請求項３に記載の発明では、請求項１または２に記載のヒートポンプ式給湯機において、突出形状脚部（５ｃ）の上面のうち、他方のベース（４）側の端部には、面取り部（５ｄ）が設けられていることを特徴とする。
【００１５】
これによれば、他方のベース（４）の底面を突出形状脚部（５ｃ）の上面に乗り上げさせる際に、面取り部（５ｄ）に沿って、容易に乗り上げさせることができる。なお、本請求項における面取り部（５ｄ）には、平面状の面取り部のみならず、曲面状、円筒面状の面取り部等も含まれる。
【００１６】
請求項４に記載の発明では、請求項１ないし３のいずれか１つに記載のヒートポンプ式給湯機において、他方のベース（４）に設けられた脚部（４ｂ、４ｃ）の少なくとも１つは、突出形状脚部（５ｃ）の側面と面接触するように配置された接触用脚部（４ｃ）になっており、接触用脚部（４ｃ）の高さ寸法（ｈ４）は、突出形状脚部（５ｃ）の高さ寸法（ｈ５）に対して、短いことを特徴とする。
【００１７】
これによれば、他方のベース（４）の底面が、突出形状脚部（５ｃ）の上面に乗り上げた際に、接触用脚部（４ｃ）が設置面（Ｇ）から離れるので、確実に、他方のベース（４）の底面を突出形状脚部（５ｃ）の上面に乗り上げさせることができる。その結果、ヒートポンプ筐体（２）およびタンク筐体（３）の鉛直方向（上下方向）の位置合わせを、確実に行うことができる。
【００１８】
請求項５に記載の発明では、請求項４に記載のヒートポンプ式給湯機において、さらに、突出形状脚部（５ｃ）および接触用脚部（４ｃ）を締結する締結手段（６）を有することを特徴とする。これによれば、締結手段（６）を締め付けることで、ヒートポンプ筐体（２）およびタンク筐体（３）の位置合わせを、より一層、確実に行うことができる。
【００１９】
請求項６に記載の発明では、請求項１ないし５のいずれか１つに記載のヒートポンプ式給湯機において、一方のベースは、タンクベース（５）であり、他方のベースは、ヒートポンプベース（４）であることを特徴とする。
【００２０】
これによれば、ヒートポンプベース（４）の底面が、タンクベース（５）に設けられた突出形状脚部（５ｃ）の上面に乗り上げる配置となるので、タンク筐体（３）からヒートポンプ筐体（２）を容易に取り外すことができる。その結果、ヒートポンプサイクル（２０）のメンテナンス性を向上させることができる。
【００２１】
なお、この欄および特許請求の範囲で記載した各手段の括弧内の符号は、後述する実施形態に記載の具体的手段との対応関係を示すものである。
【発明を実施するための最良の形態】
【００２２】
図１〜４により、本発明の一実施形態を説明する。図１は、本実施形態の家庭用ヒートポンプ式給湯機１の模式的な全体構成図である。ヒートポンプ式給湯機１は、図１に示すように、ヒートポンプ筐体２、および、このヒートポンプ筐体２とは別体に構成されたタンク筐体３を水平方向に隣接配置して一体化させたものである。なお、図１の上下の各矢印は、ヒートポンプ式給湯機１を設置面Ｇに設置した状態における各方向を示している。
【００２３】
ヒートポンプ筐体２およびタンク筐体３は、ヒートポンプ式給湯機１の外殻を形成するもので、耐食性に優れる金属（例えば、ステンレス）によって、上下方向に長手方向を有する略直方体状に形成されている。さらに、ヒートポンプ筐体２およびタンク筐体３の外表面には、意匠性を向上させるための塗装処理等が施されている。
【００２４】
ヒートポンプ筐体２は、給湯水を加熱するヒートポンプサイクル２０を収容するものである。ヒートポンプサイクル２０は、圧縮機２１、水−冷媒熱交換器２２、電気式膨張弁２３、蒸発器２４等を順次配管接続して構成される周知の蒸気圧縮式の冷凍サイクルである。さらに、このヒートポンプサイクル２０では、冷媒として二酸化炭素を採用しており、高圧側冷媒圧力が冷媒の臨界圧力以上となる超臨界冷凍サイクルを構成している。
【００２５】
圧縮機２１は、ヒートポンプサイクル２０において、冷媒を吸入し、冷媒を臨界圧力以上となるまで圧縮して吐出するもので、本実施形態では、圧縮機構部２１ａを電動モータ２１ｂにより駆動する電動圧縮機を採用している。
【００２６】
水−冷媒熱交換器２２は、冷媒通路２２ａを通過する圧縮機２１吐出冷媒と水通路２２ｂを通過する給湯水とを熱交換させるもので、圧縮機２１から吐出された高温高圧冷媒の有する熱量を給湯水に放熱させることによって、給湯水を加熱する加熱用熱交換器である。また、水通路２２の入口側には、後述する貯湯タンク３１に貯湯された給湯水を水−冷媒熱交換器２２へ圧送する電動式の水ポンプ２５が接続されている。
【００２７】
電気式膨張弁２３は、電気的に絞り開度を調整することで水−冷媒熱交換器２２の冷媒通路２２ａから流出した高圧冷媒を減圧膨張させる減圧手段であるとともに、圧縮機２１の吐出口から電気式膨張弁２３の入口へ至る冷媒の高圧側冷媒圧力を制御する圧力制御手段でもある。
【００２８】
蒸発器２４は、電気式膨張弁２３にて減圧膨張された低圧冷媒と電動送風ファン２４ａにより送風された外気（室外空気）とを熱交換させて、低圧冷媒を蒸発させて吸熱作用を発揮させる吸熱用熱交換器である。
【００２９】
なお、圧縮機２１の電動モータ２１ｂ、電気式膨張弁２３、蒸発器２４の電動送風ファン２４ａおよび水ポンプ２５は、図示しない制御装置の出力側に接続されており、この制御装置から出力される制御信号によってその作動が制御される。
【００３０】
制御装置は、ＣＰＵ、ＲＯＭおよびＲＡＭ等を含む周知のマイクロコンピュータとその周辺回路から構成され、そのＲＯＭ内に記憶された制御プログラムに基づいて各種演算、処理を行い、上述の各種電気式アクチュエータ２１ｂ、２３、２４ａ、２５の作動を制御する。
【００３１】
また、制御装置の入力側には、水−冷媒熱交換器２２の水通路２２ｂ入口側給湯水温度を検出する温度センサ等の各種センサ群、および、各種操作スイッチが設けられた操作パネル等（いずれも図示せず。）が接続されている。
【００３２】
さらに、ヒートポンプ筐体２は、その底面側にヒートポンプ筐体２を支持するヒートポンプベース４を有しており、このヒートポンプベース４を介して設置面Ｇに設置（固定）されている。このヒートポンプベース４の詳細については後述する。
【００３３】
タンク筐体３は、給湯水を貯湯する貯湯タンク３１等を収容するものである。貯湯タンク３１は、耐食性に優れた金属（例えば、ステンレス）製で、断熱構造を有し、高温の給湯水を長時間保温することができる温水タンクである。また、その貯湯量は、３００〜４００リットル程度である。
【００３４】
貯湯タンク３１に貯留された給湯水は、貯湯タンク３１の上部に設けられた出湯口３１ａから出湯され、図示しない温調弁により水道からの冷水と混合されて温度調節された後、台所や風呂等に給湯される。また、貯湯タンク３１の底部には、給水口３１ｂが設けられ、この給水口３１ｂから水道水が給水される。
【００３５】
さらに、貯湯タンク３１の底部には、水−冷媒熱交換器２２側へ給湯水を流出させる給湯水出口３１ｃが設けられている。給湯水出口３１ｃは、ヒートポンプ筐体２内で水ポンプ２５の吸入側に接続される。また、貯湯タンク３１の上部には、水−冷媒熱交換器２２の水通路２２ｂ出口側から流出した給湯水を流入させる給湯水入口３１ｄが設けられている。
【００３６】
従って、給湯水出口３１ｃから流出した給湯水は、水ポンプ２５の作用によって、水−冷媒熱交換器２２の水通路２２ｂへ流入して加熱されて、給湯水入口３１ｄから再び貯湯タンク３１へ流入する。さらに、タンク筐体３は、その底面側にタンク筐体３を支持するタンクベース５を有しており、このタンクベース５を介して、設置面Ｇに設置（固定）されている。
【００３７】
ここで、図２〜４により、ヒートポンプベース４およびタンクベース５の詳細について説明する。図２は、ヒートポンプベース４およびタンクベース５の分解斜視図である。図３（ａ）は、ヒートポンプベース４およびタンクベース５の分解時における上面図であり、図３（ｂ）は、ヒートポンプベース４およびタンクベース５の組付時における上面図である。図４（ａ）は、図３（ａ）のＡ−Ａ断面図であり、図４（ｂ）は、図３（ｂ）のＡ’−Ａ’断面図である。
【００３８】
ヒートポンプベース４およびタンクベース５は、いずれもヒートポンプ筐体２およびタンク筐体３と同じ材料で形成され、図２に示すように、底面部とその外枠を形成する側面部を有して皿状に構成された基盤部材である。
【００３９】
また、図３に示すように、ヒートポンプベース４およびタンクベース５を上方側から見たときに、タンクベース５の側面には、タンクベース５の側面へ向かって楔状に突き出した凸形状部５ａが形成されている。一方、ヒートポンプベース４の側面には、タンクベース５の凸形状部５ａに適合する形状に形成されるとともに、凸形状部５ａが嵌合される凹形状部４ａが形成されている。
【００４０】
なお、凸形状部５ａは、根本側から先端側（ヒートポンプベース４側）へ向かって徐々に幅寸法が小さくなる形状（本実施形態では、台形形状）に形成されることによって、楔状に突き出す形状になっている。従って、本実施形態では、タンクベース５が特許請求の範囲に記載した第１ベースに対応し、ヒートポンプベース４が特許請求の範囲に記載した第２ベースに対応している。
【００４１】
さらに、ヒートポンプベース４およびタンクベース５は、図２、４に示すように、それぞれ底面から設置面Ｇに向かって延びる複数（本実施形態では、それぞれ３つ）の脚部４ｂ、４ｃ、５ｂ、５ｃを有している。
【００４２】
これらの複数の脚部４ｂ、４ｃ、５ｂ、５ｃは、中空の略角柱状に形成されており、このうちヒートポンプベース４に設けられた２つの脚部４ｂおよびタンクベース５に設けられた２つの脚部５ｂは、図３（ｂ）に示すように、ヒートポンプベース４およびタンクベース５を組み付けた際に、ヒートポンプ式給湯機１全体としての水平方向の四隅に位置づけられるように配置されている。
【００４３】
また、タンクベース５に設けられた脚部の１つは、図２、３に示すように、ヒートポンプベース４に接触する側の側面の略中央部に配置されて、ヒートポンプベース４下側空間に突き出した突出形状脚部５ｃになっている。
【００４４】
より具体的には、この突出形状脚部５ｃは、ヒートポンプベース４およびタンクベース５を上方側から見たときに、図３に示すように、凸形状部５ａの一部と重なるように配置されている。さらに、この突出形状脚部５ｃの上面のうち、ヒートポンプベース４側の端部には、平面状の面取り部５ｄが設けられている。
【００４５】
一方、ヒートポンプベース４側に設けられた脚部の１つは、ヒートポンプベース４およびタンクベース５を組み付けた際に、その側面が突出形状脚部５ｃの側面と面接触するように配置された接触用脚部３ｃになっている。そして、図４に示すように、接触用脚部３ｃの高さ寸法ｈ４は、突出形状脚部５ｃの高さ寸法ｈ５に対して短く形成されている。
【００４６】
さらに、接触用脚部３ｃおよび突出形状脚部５ｃのそれぞれの接触面には、それぞれの接触面の表裏を貫通する貫通穴３ｅ、５ｅが形成されている。この貫通穴３ｅ、５ｅは、ヒートポンプベース４およびタンクベース５を組み付けた際に、共通するボルト６を貫通させて、ヒートポンプベース４およびタンクベース５を互いに固定するための穴である。
【００４７】
次に、上記構成における本実施形態の作動について説明する。本実施形態のヒートポンプ式給湯機１は、商用電源等の外部電源が供給された状態で、操作パネルに設けられた作動スイッチを投入（ＯＮ）すると作動する。
【００４８】
作動スイッチが投入されると、制御装置が、水−冷媒熱交換器２２の水通路２２ｂ入口側給湯水温度、水通路２２ｂ出口側給湯水温度、外気温といった各種センサ群の検出信号および操作パネルに設けられた給湯水温度設定スイッチの操作信号に基づいて、各種電気式アクチュエータ２１ｂ、２３、２４ａ、２５の作動を制御する。
【００４９】
これにより、圧縮機２１から吐出された高温高圧冷媒と水ポンプ２５から流出した給湯水が水−冷媒熱交換器２２にて熱交換し、冷媒の有する熱量が給湯水に放熱され、給湯水が加熱される。
【００５０】
水−冷媒熱交換器２２から流出した冷媒は、電気式膨張弁２３にて減圧膨張されて、蒸発器２４へ流入する。この際、電気式膨張弁２３の弁開度は、ヒートポンプサイクル２０の高圧側冷媒圧力が高圧側冷媒温度に応じて決定される目標高圧に近づくように制御される。これにより、ヒートポンプサイクル２０のＣＯＰが略最大値となるように高圧側冷媒圧力が制御される。
【００５１】
蒸発器２４へ流入した低圧冷媒は、電動送風ファン２４ａにより送風された外気から吸熱して蒸発し、再び圧縮機２１へ吸入される。一方、水−冷媒熱交換器２２から流出した給湯水は、貯等タンク３１へ戻り、加熱された給湯水が貯湯タンク３１に貯湯される。
【００５２】
次に、本実施形態のヒートポンプ式給湯機１の組付方法について説明する。前述の如く、本実施形態のヒートポンプ式給湯機１は、ヒートポンプ筐体２およびタンク筐体３が別体として構成されているので、ヒートポンプ筐体２およびタンク筐体３を別々に設置場所へ搬送する。そして、タンク筐体３を設置場所に配置した後、ヒートポンプ筐体２をタンク筐体３と一体化する。
【００５３】
具体的には、図４（ｂ）に示すように、前述のタンクベース５の凸形状部５ａに、ヒートポンプベース４の凹形状部４ａを嵌め合わせる。これにより、ヒートポンプベース４の底面がタンクベース５の突出形状脚部５ｃの上面に乗り上げるように配置され、さらに、突出形状脚部５ｃの側面およびヒートポンプベース４の接触用脚部３ｃの側面同士が接触することになる。
【００５４】
この状態で、接触用脚部３ｃおよび突出形状脚部５ｃの貫通穴３ｅ、５ｅにボルト６を貫通させてナットで締め付ける。さらに、ヒートポンプ筐体２およびタンク筐体３同士についてもボルト締め等の締結手段で一体化させる。さらに、図示しないヒートポンプ筐体２の側面に設けられた開口部を開いて、ヒートポンプ筐体２の内部で、貯湯タンク３１と水−冷媒熱交換器２２とを接続する。
【００５５】
さらに、給湯タンク４１の出湯口３１ａと家屋内の台所や風呂等に給湯水を導く給湯配管を接続し、出湯口３１ａと水道水を供給する水道配管とを接続する。これにより、ヒートポンプ式給湯機１の各種配管の接続が完了する。
【００５６】
本実施形態では、タンクベース５の側面に、ヒートポンプベース４側へ向かって楔状に突き出した凸形状部５ａが形成され、ヒートポンプベース４の側面には、凸形状部５ａが嵌合される凹形状部４ａが形成されているので、ヒートポンプ筐体２およびタンク筐体３を一体化させる際に、水平方向の位置合わせを容易に行うことができる。
【００５７】
この際、凸形状部５ａが楔状に突き出す形状になっているので、ボルト６を締め付けることによって、ヒートポンプベース４の凹形状部４ａを凸形状部５ａの楔形状に沿って徐々にずらすことができるので、水平方向の位置合わせを確実に行うことができる。
【００５８】
さらに、ヒートポンプベース４の底面が、タンクベース５に設けられた突出形状脚部５ｃの上面に乗り上げるように配置されるので、ヒートポンプ筐体２およびタンク筐体３を一体化させる際に、鉛直方向（上下方向）の位置合わせを容易に行うことができる。
【００５９】
この際、突出形状脚部５ｃの上面のうち、ヒートポンプベース４側の端部には、面取り部５ｄが設けられているので、ヒートポンプベース４の底面を面取り部５ｄに沿って、容易に、突出形状脚部５ｃの上面に乗り上げさせることができる。
【００６０】
しかも、接触用脚部３ｃの高さ寸法ｈ４が、突出形状脚部５ｃの高さ寸法ｈ５よりも短く形成され、接触用脚部３ｃが設置面Ｇから離れるので、確実に鉛直方向の位置合わせを行うことができる。
【００６１】
その結果、ヒートポンプ筐体２およびタンク筐体３の位置ずれを防止でき、ヒートポンプ筐体２およびタンク筐体３を組み付けた際に、それぞれの筐体２、３同士の接触面間から各筐体２、３内に雨水等が侵入してしまうことを回避できる。さらに、ヒートポンプ式給湯機１全体としての意匠性が損なわれることも防止できる。
【００６２】
また、本実施形態では、ヒートポンプベース４の底面が、タンクベース５の突出形状脚部５ｃの上面に乗り上げる配置となっているので、タンク筐体３からヒートポンプ筐体２を容易に取り外すことができる。このような配置は、圧縮機２１、電気式膨脹弁２３、電動送風ファン２４ａ、水ポンプ２５といった稼働部を有する構成機器を備えるヒートポンプサイクル２０のメンテナンス性を向上できる点で極めて有効である。
【００６３】
（他の実施形態）
本発明は上述の実施形態に限定されることなく、以下のように種々変形可能である。
【００６４】
（１）上述の実施形態では、タンクベース５に凸形状部５ａを設け、ヒートポンプベース４に凹形状部４ａを設けた例を説明したが、逆にタンクベース５に凹形状部を設け、ヒートポンプベース４に凸形状部を設けてもよい。すなわち、ヒートポンプベース４が特許請求の範囲に記載した第１ベースに対応し、タンクベース５が特許請求の範囲に記載した第２ベースに対応するようにしてもよい。
【００６５】
さらに、ヒートポンプベース４に突出形状脚部を設け、タンクベース５に接触用脚部を設けてもよい。つまり、図５（ａ）に示すように、タンクベース５に凸形状部を設け、ヒートポンプベース４に凹形状部を設け、さらに、タンクベース５に接触用脚部を設け、ヒートポンプベース４に突出形状脚部を設けてもよい。
【００６６】
また、図５（ｂ）に示すように、タンクベース５に凹形状部を設け、ヒートポンプベース４に凸形状部を設け、さらに、タンクベース５に突出形状脚部を設け、ヒートポンプベース４に接触用脚部を設けてもよい。
【００６７】
また、図５（ｃ）に示すように、タンクベース５に凹形状部を設け、ヒートポンプベース４に凸形状部を設け、さらに、タンクベース５に接触用脚部を設け、ヒートポンプベース４に突出形状脚部を設けてもよい。なお、図５（ａ）〜（ｃ）は、上述の図３（ａ）に対応する図面である。
【００６８】
（２）上述の実施形態では、図３、５に示すように、それぞれの筐体２、３の前後方向の奥行寸法（すなわち、それぞれの筐体２、３同士の接触面に平行、かつ、上下方向に垂直な寸法）を略同等とした例を説明したが、それぞれの筐体２、３の奥行寸法が異なっていてもよい。例えば、タンク筐体３の奥行寸法を、ヒートポンプ筐体２の奥行寸法よりも長くすれば、貯湯タンク３１の容量を確保しやすくなる。
【００６９】
（３）上述の実施形態では、ヒートポンプ筐体２内にヒートポンプサイクル２０全体を収容した例を説明したが、ヒートポンプサイクル２０の一部の構成機器（例えば、水−冷媒熱交換機２２のみ）をヒートポンプ筐体２に収容する構成であってもよい。
【００７０】
（４）上述の実施形態では、ヒートポンプベース４およびタンクベース５を、それぞれヒートポンプ筐体２およびタンク筐体３に対して、別部材で構成しているが、もちろんヒートポンプベース４およびタンクベース５に一体に形成してもよい。
【００７１】
（５）上述の実施形態では、ヒートポンプベース４およびタンクベース５に、それぞれ３つの脚部を設けているが、脚部の数はこれに限定されず、ヒートポンプ式給湯機１全体を支持するために必要な数を適宜選択すればよい。
【００７２】
（６）上述の実施形態では、突出形状脚部５ｃの面取り部５ｄを平面状に形成した例を説明したが、曲面状、円筒面状に形成されていてもよい。
【図面の簡単な説明】
【００７３】
【図１】一実施形態のヒートポンプ式給湯機の模式的な全体構成図である。
【図２】一実施形態のヒートポンプベースおよびタンクベースの分解斜視図である。
【図３】（ａ）は、一実施形態のヒートポンプベースおよびタンクベースの分解時における上面図であり、（ｂ）は、組付時における上面図である。
【図４】（ａ）は、図３（ａ）のＡ−Ａ断面図であり、（ｂ）は、図３（ｂ）のＡ’−Ａ’断面図である。
【図５】他の実施形態のヒートポンプベースおよびタンクベースの分解時における上面図である。
【符号の説明】
【００７４】
２          ヒートポンプ筐体
３          タンク筐体
３ｃ        接触用脚部
４          ヒートポンプベース
４ａ        凹形状部
４ｂ、５ｂ  脚部
５          タンクベース
５ａ        凸形状部
５ｃ        突出形状脚部
５ｄ        面取り部
２０        ヒートポンプサイクル
４１        貯湯タンク
Ｇ          設置面
【図１】
0005109669.tif 000002
【図２】
0005109669.tif 000003
【図３】
0005109669.tif 000004
【図４】
0005109669.tif 000005
【図５】
0005109669.tif 000006